(57)【特許請求の範囲】
【請求項１】
前後方向と幅方向を有し、トップシートとバックシートとこれらの間に配された吸収体とを有する吸収性物品であって、
前記吸収体は、吸収性コアと、前記吸収性コアを非肌面側から肌面側にかけて覆う被覆シートを有し、
前記被覆シートは、幅方向の一方端部と他方端部が着色され、前記一方端部と前記他方端部が前記吸収性コアの肌面側で幅方向に離隔しており、前記吸収性コアの肌面側の幅方向の中央部が前記被覆シートに覆われていないことを特徴とする吸収性物品。
【請求項２】
前記被覆シートは、前記吸収性コアの前方端より後方および後方端より前方の範囲において、前記吸収性コアの肌面側の前記吸収性コアと重なる部分のみが着色されている請求項１に記載の吸収性物品。
【請求項３】
前記被覆シートは、前記一方端部と前記他方端部が互いに異なる色に着色されている請求項１または２に記載の吸収性物品。
【請求項４】
前記吸収体は、前記吸収性コアを下側吸収性コアとして有し、前記下側吸収性コアが前記被覆シートによって非肌面側から肌面側にかけて覆われ、前記下側吸収性コアの肌面側に上側吸収性コアが配されており、
前記被覆シートの前記一方端部と前記他方端部は前記上側吸収性コアと前記下側吸収性コアの間に配され、
前記上側吸収性コアは、幅方向の中央部に前後方向に延びる開口を有し、前記開口が前記被覆シートの前記一方端部と前記他方端部と重なって配置されている請求項１〜３のいずれか一項に記載の吸収性物品。
【発明の詳細な説明】
【技術分野】
【０００１】
本発明は、尿パッド（軽失禁パッドを含む）、生理用ナプキン、使い捨ておむつ等の吸収性物品に関するものである。
【背景技術】
【０００２】
尿パッド、生理用ナプキン、使い捨ておむつ等の吸収性物品は、着用者から排泄された尿等を適切に受けることができるように、吸収性物品を装着する際、着用者の股間の適切な位置にセットすることが望まれる。パンツタイプやテープタイプの使い捨ておむつでは、肌面側に尿パッドなどの補助吸収体を配置して使用する場合があるが、この場合もまた、補助吸収体を使い捨ておむつの肌面側の適切な位置にセットすることが望まれる。例えば特許文献１には、トップシートとバックシートの間に吸収性コアが設けられ、吸収性コアには、幅方向の中央部に、前後方向に延びる開口または凹部が形成され、開口または凹部と吸収性コアの幅方向の外縁との間に、吸収性物品の肌面側から視認可能に着色された目印が設けられた吸収性物品が開示されている。特許文献１の吸収性物品では、肌面側から視認可能に着色された目印を目安にして、補助吸収体を吸収性物品の幅方向の中央位置に適切にセットすることができる。
【先行技術文献】
【特許文献】
【０００３】
【特許文献１】特開２０１７−２１７２５６号公報
【発明の概要】
【発明が解決しようとする課題】
【０００４】
上記のように、吸収性物品を肌面側から見たときに幅方向の中央を認識することができれば、吸収性物品を適切に装着することが容易になるため、好ましい。本発明は前記事情に鑑みてなされたものであり、その目的は、肌面側から見たときに幅方向の中央を容易に認識することができる吸収性物品を提供することにある。
【課題を解決するための手段】
【０００５】
前記課題を解決することができた本発明の吸収性物品とは、前後方向と幅方向を有し、トップシートとバックシートとこれらの間に配された吸収体とを有する吸収性物品であって、吸収体は、吸収性コアと、吸収性コアを非肌面側から肌面側にかけて覆う被覆シートを有し、被覆シートは、幅方向の一方端部と他方端部が着色され、前記一方端部と前記他方端部が吸収性コアの肌面側で幅方向に離隔しており、吸収性コアの肌面側の幅方向の中央部が前記被覆シートに覆われていないところに特徴を有する。
【０００６】
本発明の吸収性物品は、上記のように吸収体が構成されることにより、吸収体の肌面側の幅方向の中央部の両側に、被覆シートの着色された一方端部と他方端部によって着色部が形成される。本発明の吸収性物品はこのように吸収体に着色部が形成されることにより、吸収性物品を肌面側から見たときに、当該着色部の間の部分を吸収性物品の幅方向の中央と認識することができる。そのため、吸収性物品を装着する際、吸収性物品の幅方向の位置を適切にセットすることが容易になる。吸収性物品の肌面側に補助吸収体を載置して使用する場合は、吸収体の着色部に基づいて、補助吸収体を吸収性物品の幅方向の中央に正確にセットしやすくなる。また、吸収性コアは肌面側の幅方向の中央部が着色された被覆シートによって覆われていないため、着用者から排泄された尿等を速やかに吸収することができる。
【０００７】
被覆シートは、吸収性コアの前方端より後方および後方端より前方の範囲において、吸収性コアの肌面側の吸収性コアと重なる部分のみが着色されていることが好ましい。このように吸収性物品が構成されていれば、吸収性物品を外側から見たときに被覆シートの着色された部分が目立たなくなり、見栄えの良いものとなる。
【０００８】
被覆シートは、一方端部と他方端部が互いに異なる色に着色されていてもよい。これにより、被覆シートの幅方向の一方端部の色と他方端部の色を目安に、吸収性物品の右側または左側を判別することが可能となる。
【０００９】
吸収体は、上記に説明した吸収性コアを下側吸収性コアとして有し、下側吸収性コアの肌面側に、開口を有する上側吸収体が配されるものであってもよい。この場合、下側吸収性コアが被覆シートによって非肌面側から肌面側にかけて覆われ、下側吸収性コアの肌面側に上側吸収性コアが配され、被覆シートの一方端部と他方端部は上側吸収性コアと下側吸収性コアの間に配され、上側吸収性コアは、幅方向の中央部に前後方向に延びる開口を有し、開口が被覆シートの一方端部と他方端部と重なって配置されていることが好ましい。この場合、上側吸収性コアの開口を通じて、被覆シートの着色された一方端部と他方端部を視認することができ、これにより吸収性物品の幅方向の中央を認識できる。また、被覆シートの着色された幅方向の一方端部と他方端部によって、上側吸収性コアの開口の幅方向の中央も認識しやすくなり、吸収性物品の装着の際に、開口の位置を着用者の排尿部等に合わせて適切にセットすることが容易になる。
【発明の効果】
【００１０】
本発明の吸収性物品は、吸収体の肌面側の幅方向の中央部の両側に、被覆シートの着色された一方端部と他方端部によって着色部が形成される。本発明の吸収性物品は、このように形成された着色部に基づいて、吸収性物品を肌面側から見たときに、当該着色部の間の部分を吸収性物品の幅方向の中央と認識することができる。そのため、吸収性物品を装着する際、吸収性物品の幅方向の位置を適切にセットすることが容易になる。吸収性物品の肌面側に補助吸収体を載置して使用する場合は、吸収体の着色部に基づいて、補助吸収体を吸収性物品の幅方向の中央に正確にセットしやすくなる。
【図面の簡単な説明】
【００１１】
【図１】本発明の吸収性物品の一例を表し、吸収性物品を肌面側から見た平面図を表す。
【図２】図１に示した吸収性物品のＩＩ−ＩＩ断面図の一例を表す。
【図３】図１に示した吸収性物品に備えられた吸収体を肌面側から見た平面図の一例を表す。
【図４】本発明の吸収性物品の他の一例を表し、吸収性物品を肌面側から見た平面図を表す。
【図５】図４に示した吸収性物品のＶ−Ｖ断面図の一例を表す。
【発明を実施するための形態】
【００１２】
本発明の吸収性物品は、トップシートとバックシートとこれらの間に配された吸収体とを有するものである。本発明の吸収性物品は、例えば、使い捨ておむつ、尿パッド（失禁パッドを含む）、生理用ナプキン等に適用できる。
【００１３】
吸収性物品は、前後方向と幅方向とを有する。前後方向とは、吸収性物品を着用者が着用した際、着用者の股間の前後方向に延びる方向を意味する。幅方向とは、吸収性物品と同一面上にあり前後方向と直交する方向を意味し、吸収性物品を着用した際の着用者の左右方向に相当する。また、前後方向と幅方向から形成される面に対して平行な方向を平面方向とし、垂直方向を厚み方向とする。吸収性物品は厚み方向に対して肌面側と非肌面側を有する。肌面側とは、吸収性物品を着用した際の着用者の肌に向く側を意味し、非肌面側とは、吸収性物品を着用した際の着用者とは反対側に向く側を意味する。
【００１４】
吸収性物品の形状は特に限定されない。吸収性物品が尿パッドや生理用ナプキンである場合、吸収性物品の形状としては、略長方形、砂時計形、羽子板形等が示される。
【００１５】
吸収性物品が使い捨ておむつである場合、使い捨ておむつは、例えば、前腹部と後背部とこれらの間に位置し吸収体が備えられた股部とから構成される。使い捨ておむつは、例えば、前腹部と後背部とこれらの間に位置する股部とを有するパンツ部材の股部に、トップシートとバックシートの間に吸収体が配された積層体が備えられて構成される。使い捨ておむつはまた、トップシートとバックシートの間に吸収体が配された積層体が、前腹部と後背部とこれらの間に位置する股部とを有するパンツ形状に形成されていてもよい。なお、前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００１６】
使い捨ておむつは、後背部の左右両側に止着テープが設けられ、当該止着テープにより着用時にパンツ形状に形成するテープタイプの使い捨ておむつであってもよく、前腹部と後背部とが接合されることによりウェスト開口部と一対の脚開口部とが形成されたパンツタイプの使い捨ておむつであってもよい。
【００１７】
トップシートは、吸収体の肌面側に設けられ、液透過性であることが好ましい。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００１８】
バックシートは、吸収体の非肌面側に設けられ、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００１９】
吸収性物品は、肌面側の幅方向の両側に立ち上がりフラップが設けられることが好ましい。立ち上がりフラップを設けることにより、尿等の横漏れが防止される。立ち上がりフラップは、例えば、トップシートの幅方向の両側に、前後方向に延在するサイドシートを接合し、サイドシートの幅方向の内方部分（立ち上がりフラップが立ち上がったときの上端近傍）に弾性部材を設けることにより形成される。このようにサイドシートと弾性部材とを設けることにより、弾性部材の収縮力によりサイドシートの幅方向の内方部分が着用者の肌に向かって立ち上がり、立ち上がりフラップが形成される。立ち上がりフラップまたはサイドシートは、液不透過性のプラスチックフィルムや液不透過性の不織布等により構成されることが好ましい。
【００２０】
トップシートやバックシートやサイドシートが不織布から構成される場合、不織布としては、スパンボンド不織布、エアスルー不織布、ポイントボンド不織布、メルトブロー不織布、エアレイド不織布、ＳＭＳ不織布等を用いることが好ましい。
【００２１】
吸収体は、吸収性コアと、吸収性コアの肌面側と非肌面側を覆う被覆シートを有する。吸収性コアは、尿等の体液を吸収できる吸収性材料を含有するものであれば特に限定されないが、親水性繊維の集合体から形成されていることが好ましい。親水性繊維としては、パルプ繊維等の天然繊維；レーヨン繊維等の再生繊維；アセテート繊維等の半合成繊維；ポリエチレン、ポリプロピレン等のポリオレフィン繊維、ＰＥＴ等のポリエステル繊維、ナイロン等のポリアミド繊維等の合成繊維であって、界面活性剤等により親水化処理がされた繊維等を用いることができる。吸収性コアは、ポリアクリル酸系、ポリアスパラギン酸系、セルロース系、デンプン・アクリロニトリル系等の吸水性樹脂等を含むものであってもよい。
【００２２】
吸収性コアは、尿等の吸収速度を高め、保形性を高める点から、少なくとも親水性繊維を含有することが好ましく、パルプ繊維を含有することがより好ましい。また、吸収容量を高める点から、吸収性コアは、親水性繊維と吸水性樹脂を含有することが好ましい。この場合、吸収性コアとしては、例えば、親水性繊維の集合体に吸水性樹脂を混合または散布したものを用いることが好ましい。
【００２３】
吸収性コアの形状（平面形状）は特に限定されない。吸収性コアの形状は、用途に応じて適宜決定すればよく、例えば、略長方形、砂時計形、羽子板形等が挙げられる。吸収性コアは複数積層されて構成されてもよい。
【００２４】
被覆シートは、紙シート（例えば、ティッシュペーパーや薄葉紙）や液透過性不織布等から構成され、吸収性コアを所定形状に維持するために設けられる。被覆シートは、吸収性コアを非肌面側から肌面側にかけて覆うように設けられる。詳細には、被覆シートは、吸収性コアの非肌面側で吸収性コアの幅方向の全体に延在するとともに、吸収性コアの幅方向の両側縁に沿って吸収性コアの肌面側に折り返され、被覆シートの幅方向の一方端部と他方端部が吸収性コアの肌面側に位置するように設けられている。
【００２５】
被覆シートは、好ましくは紙シートから構成される。紙シートとしては、植物繊維を相互に絡ませてシート状に形成したものであれば特に限定なく用いることができ、特にティッシュが好ましく用いられる。紙シートは、例えば湿式抄紙法により製造することができる。
【００２６】
被覆シートは、幅方向の一方端部と他方端部が着色され、吸収性コアの幅方向の中央部で被覆シートの一方端部と他方端部が幅方向に離隔して、吸収性コアの肌面側の幅方向の中央部が被覆シートに覆われていない。このように吸収体が構成されることにより、吸収体の肌面側の幅方向の中央部の両側に、被覆シートの着色された一方端部と他方端部によって着色部が形成される。本発明の吸収性物品はこのように吸収体に着色部が形成されることにより、吸収性物品を肌面側から見たときに当該着色部を視認することができ、これにより当該着色部の間の部分を吸収性物品の幅方向の中央と認識することができる。そのため、吸収性物品を装着する際、吸収性物品の幅方向の位置を適切にセットすることが容易になる。本発明の吸収性物品が補助吸収体を併用するものである場合、すなわち本発明の吸収性物品の肌面側に補助吸収体を載置して使用する場合は、吸収体に設けられた着色部に基づいて、補助吸収体を吸収性物品の幅方向の中央に正確にセットしやすくなる。また、吸収性コアは肌面側の幅方向の中央部が被覆シートによって覆われていないため、着用者から排泄された尿等を速やかに吸収することができる。
【００２７】
被覆シートの幅方向の一方端部と他方端部は、被覆シートの幅方向の一方端または他方端から幅方向に所定長さの範囲として規定される。被覆シートの幅方向の一方端部と他方端部の幅方向の長さは、例えば３ｍｍ以上が好ましく、５ｍｍ以上がより好ましく、７ｍｍ以上がさらに好ましく、また２５ｍｍ以下が好ましく２０ｍｍ以下がより好ましく、１５ｍｍ以下がさらに好ましい。被覆シートはこのような範囲で幅方向の一方端部と他方端部が着色されていることが好ましい。
【００２８】
吸収性コアの幅方向の中央部は、吸収性コアの幅方向の中心線（前後方向に延びる中心線）を含む部分として規定される。吸収体は、吸収性コアの肌面側の幅方向の中央部が被覆シートによって覆われておらず、被覆シートは幅方向の一方端部と他方端部が吸収性コアの肌面側で幅方向に離隔して配されている。詳細には、被覆シートは、幅方向の一方端部と他方端部が前後方向の全体にわたって吸収性コアの肌面側で幅方向に離隔して設けられている。被覆シートの幅方向の一方端部と他方端部の幅方向の離隔長さは、例えば３ｍｍ以上が好ましく、５ｍｍ以上がより好ましく、１０ｍｍ以上がさらに好ましく、また５０ｍｍ以下が好ましく４０ｍｍ以下がより好ましく、３０ｍｍ以下がさらに好ましい。着色された被覆シートによって覆われない吸収性コアの肌面側の幅方向の中央部は、吸収性コアの幅方向の中心線に対して略対称に設けられることが好ましい。
【００２９】
被覆シートは、幅方向の一方端部と他方端部が少なくとも着色され、一方端部と他方端部の間の部分は着色されていてもよく、非着色であってもよい。好ましくは、被覆シートは、幅方向の一方端部と他方端部の間の部分は非着色とされ、これにより吸収性物品を外側から見たときに被覆シートの着色された部分が目立たなくなり、見栄えの良いものとなる。同様の観点から、被覆シートは、吸収性コアの前方端より後方および後方端より前方の範囲において、吸収性コアの肌面側の吸収性コアと重なる部分のみが着色されることが好ましい。換言すれば、被覆シートは、吸収性コアの前方端より後方および後方端より前方の範囲において、吸収性コアと重ならない部分では着色されていないことが好ましい。
【００３０】
被覆シートは、幅方向の一方端部と他方端部において、被覆シートの前後方向の中央１／２の範囲（すなわち被覆シートを前後方向に４等分したときの中央２／４の範囲）にわたって少なくとも着色されることが好ましく、前後方向の中央２／３の範囲（すなわち被覆シートを前後方向に６等分したときの中央４／６の範囲）にわたって少なくとも着色されることがより好ましく、前後方向の全体にわたって着色されることがさらに好ましい。なお被覆シートは、幅方向の一方端および他方端が前後方向に延びる直線状に形成されることが好ましく、略長方形に形成されることがより好ましい。
【００３１】
被覆シートは少なくとも幅方向の一方端部と他方端部において白色以外に着色されていればよく、吸収性物品を肌面側から見たときに視認可能に形成されていればよい。被覆シートの着色部の色は、赤色、橙色、黄色、黄緑色、緑色、青色、紫色、黒色など特に限定されないが、有彩色であることが好ましい。なお、被覆シートで非着色とされる部分は、通常は白色である。
【００３２】
被覆シートの着色部は、例えば、Ｌ*ａ*ｂ*表色系による色相角度ｈが９０°以上３００°以下に着色されていることが好ましく、この場合、黄緑色〜紫色の青色を中心とする色相で着色されることとなる。色相角度ｈはより好ましくは１０５°以上であり、さらに好ましくは１２０°以上であり、また２８５°以下が好ましく、２７０°以下がさらに好ましい。色相角度ｈは、Ｌ*ａ*ｂ*表色系のａ*とｂ*の値から、次式により求めることができる：ｈ＝ｔａｎ-1［（ｂ*）／（ａ*）］。
【００３３】
被覆シートの着色部の彩度Ｃ*は特に限定されないが、鮮やかな色である方が視認性が高まることから、当該彩度Ｃ*は、例えば２０以上が好ましく、３０以上がより好ましく、４０以上がさらに好ましい。彩度Ｃ*は、Ｌ*ａ*ｂ*表色系のａ*とｂ*の値から、次式により求めることができる：Ｃ*＝［（ａ*）2＋（ｂ*）2］1/2。被覆シートの着色部の明度Ｌ*は、色相に応じて取り得る範囲が変わるため、好適範囲を一概に定めることは難しいが、例えば、２０以上が好ましく、３０以上がより好ましく、４０以上がさらに好ましく、また８０以下が好ましく、７５以下がより好ましく、７０以下がさらに好ましい。Ｌ*ａ*ｂ*表色系による色表示（Ｌ*、ａ*、ｂ*）は、例えば、コニカミノルタ社製の蛍光分光濃度計ＦＤ−７により測定することができる。
【００３４】
被覆シートの着色部は、被覆シートに印刷を施すことにより形成することができる。印刷は、被覆シートの内側面（すなわち吸収性コア側）に施してもよく、外側面（すなわち吸収性コアと反対側）に施してもよいが、外側面に施すことが好ましい。印刷は、グラビア印刷、フレキソ印刷、オフセット印刷、インクジェット印刷、スクリーン印刷等の従来公知の印刷方法を用いることができる。一方、被覆シートの非着色の部分は、被覆シートの印刷が施されない部分とすることができる。
【００３５】
なお、印刷によって被覆シートを着色する場合、被覆シートの着色された部分は尿等が接触することによって色落ちしないことが望まれることから、使用されるインクは耐水性を有することが好ましい。この場合、被覆シートの着色部は尿等の浸透性が落ちることが懸念されるが、吸収性コアは肌面側の幅方向の中央部が被覆シートによって覆われていないため、着用者から排泄された尿等を速やかに吸収することができる。また、被覆シートの幅方向の一方端部と他方端部を着色し、その間の部分を着色しない場合は、被覆シートの一方端部と他方端部の間の部分における尿等の浸透性を確保しやすくなるため、好ましい。
【００３６】
被覆シートの幅方向の一方端部と他方端部は互いに異なる色で着色されていてもよい。これにより、被覆シートの幅方向の一方端部の色と他方端部の色を目安に、吸収性物品の右側または左側を判別することが可能となる。同様の観点から、被覆シートの幅方向の一方端部の着色部と他方端部の着色部は、幅方向の長さが互いに異なるように形成されていてもよい。
【００３７】
被覆シートの幅方向の一方端部および／または他方端部には、着色部が幅方向に並んで複数本設けられてもよい。被覆シートの幅方向の一方端部の着色部の本数と他方端部の着色部の本数は、同じであってもよく、互いに異なっていてもよい。後者の場合は、被覆シートの幅方向の一方端部の着色部の本数と他方端部の着色部の本数を目安に、吸収性物品の右側または左側を判別することが可能となる。
【００３８】
被覆シートは吸収性コアと接着剤で接着されていることが好ましい。これにより被覆シートと吸収性コアとの一体性が高まる。接着剤としては、例えば、ホットメルト接着剤を用いることができる。
【００３９】
吸収性コアは、前後方向に延びる開口または凹部が形成されていてもよい。例えば、吸収性コアの幅方向の中央部に前後方向に延びる開口または凹部が形成され、当該開口または凹部よりも幅方向の外方に、被覆シートの着色された一方端部と他方端部が配置されてもよい。このように吸収体が形成されていれば、吸収体の着色部に基づき、吸収性物品の幅方向の中央を認識することができるとともに、吸収性コアの開口または凹部の位置を認識することが容易になる。
【００４０】
吸収体は、上記のように幅方向の一方端部と他方端部が着色された被覆シートで覆われた吸収性コアを下側吸収性コアとして有し、下側吸収性コアの肌面側に、幅方向の中央部に前後方向に延びる開口が形成された上側吸収性コアを有し、当該開口と重なって被覆シートの一方端部と他方端部が配置されているものであってもよい。この場合、上側吸収性コアの開口を通じて、被覆シートの着色された幅方向の一方端部と他方端部を視認することができ、これにより吸収性物品の幅方向の中央を認識できる。また、被覆シートの着色された幅方向の一方端部と他方端部によって、上側吸収性コアの開口の幅方向の中央も認識しやすくなり、吸収性物品の装着の際に、開口の位置を着用者の排尿部等に合わせて適切にセットすることが容易になる。
【００４１】
上側吸収性コアには開口が１つのみ設けられることが好ましい。開口は、幅方向の長さが、上側吸収性コアと下側吸収性コアを重ね合わせた積層体の最も幅狭な部分の幅方向の長さの５％以上となることが好ましく、１０％以上がより好ましく、１５％以上がさらに好ましく、また５０％以下が好ましく、４０％以下がより好ましい。開口の幅はまた、１０ｍｍ以上が好ましく、２０ｍｍ以上がより好ましく、１５０ｍｍ以下が好ましく、１２０ｍｍ以下がより好ましい。開口は、前後方向の長さが、上側吸収性コアと下側吸収性コアの積層体の前後方向の長さの３０％以上となることが好ましく、３５％以上がより好ましく、また８０％以下が好ましく、７５％以下がより好ましい。なお開口は、上側吸収性コアの外縁に接しないように設けられることが好ましい。
【００４２】
上側吸収性コアと下側吸収性コアの積層体が砂時計形に形成される場合、開口は、少なくとも砂時計形状のくびれ部に設けられることが好ましい。すなわち、上側吸収性コアと下側吸収性コアの積層体が前後方向に前方部と後方部とこれらの間の中間部を有し、前方部と後方部が中間部よりも幅広に形成され、開口が少なくとも中間部に設けられることが好ましい。開口は、さらに前方部と後方部に延在していてもよい。
【００４３】
次に、本発明の吸収性物品の構成例について、図面を参照して説明する。なお本発明は、図面に示された実施態様に限定されるものではない。
【００４４】
図１〜図３には、本発明の吸収性物品としてテープタイプの使い捨ておむつの構成例を示した。図１は、使い捨ておむつを肌面側から見た平面図を表し、図２は、図１に示した使い捨ておむつのＩＩ−ＩＩ断面図を表し、図３は、図１に示した使い捨ておむつに備えられる吸収体を肌面側から見た平面図を表す。本願の図では、矢印ｘが幅方向、矢印ｙが前後方向を表し、矢印ｘ，ｙにより形成される面に対して垂直方向が厚み方向ｚを表す。図１では、図面の上側が吸収性物品の前側に相当し、図面の下側が吸収性物品の後側に相当する。
【００４５】
吸収性物品１は、トップシート２とバックシート３とこれらの間に設けられた吸収体２１とを有する。トップシート２は吸収体２１の肌面側に配され、バックシート３は吸収体２１の非肌面側に配されている。トップシート２を透過した排泄物は、吸収体２１により収容される。バックシート３は排泄物が外へ漏れるのを防いでいる。
【００４６】
トップシート２の幅方向ｘの両側には、前後方向ｙに延在する液不透過性のサイドシート４が接合されている。サイドシート４は、トップシート２とサイド接合部５で接合され、サイド接合部５よりも幅方向ｘの内方部分がトップシート２から起立可能に形成され、サイド接合部５よりも幅方向ｘの外方部分がバックシート３に積層されている（図２を参照）。サイドシート４の幅方向ｘの内方部分が起立することにより立ち上がりフラップ６が形成され、これにより尿等の幅方向ｘの横漏れを防止することができる。なお、サイドシート４の幅方向ｘの内方部分がトップシート２から起立可能に形成されるために、サイドシート４には、サイド接合部５よりも幅方向ｘの内方部分に前後方向ｙに延びる起立用弾性部材７が設けられることが好ましい。
【００４７】
吸収性物品１には、後背部の左右側端部に止着テープ１０が取り付けられている。止着テープ１０は基材シート１１に留め具１２が設けられて構成されている。吸収性物品１は、着用者の股間に当てて、止着テープ１０の留め具１２を吸収性物品１の前腹部の外側面（図１ではターゲットテープ１３）に止着することで、装着することができる。留め具１２としては、フック・ループ・ファスナーのフック部材や粘着剤を採用することができる。
【００４８】
吸収性物品１の幅方向ｘの両側には、前後方向ｙに延びる脚部弾性部材８が設けられることが好ましい。脚部弾性部材８により着用者の脚周りにギャザーが形成され、脚周りのフィット性を高めたり、横漏れを防止することができる。
【００４９】
吸収性物品１の前後方向ｙの端部には、幅方向ｘに延びるウェスト弾性部材９が設けられることが好ましい。ウェスト弾性部材９により着用者の腰周りに沿ったウェストギャザーが形成され、腹部や背部からの尿等の漏れが防止される。
【００５０】
吸収体２１は、吸収性コア２２と、吸収性コア２２を非肌面側から肌面側にかけて覆う被覆シート２３を有する。図面では、吸収性コア２２は砂時計形に形成されている。
【００５１】
図２および図３に示されるように、被覆シート２３は幅方向ｘの一方端部２４と他方端部２５が着色され、一方端部２４と他方端部２５が吸収性コア２２の肌面側で幅方向ｘに離隔しており、吸収性コア２２の肌面側の幅方向ｘの中央部２６が被覆シート２３に覆われていない。吸収体２１はこのように構成されることにより、被覆シート２３の着色された一方端部２４と他方端部２５によって吸収性コア２２の幅方向ｘの中央部２６を認識することができ、これにより、吸収性物品１を肌面側から見たときに幅方向ｘの中央を認識することができる。そのため、吸収性物品１を装着する際、吸収性物品１の幅方向の位置を適切にセットすることが容易になる。また、吸収性物品１の肌面側に補助吸収体を載置する場合などは、被覆シート２３の着色された一方端部２４と他方端部２５によって、補助吸収体を吸収性物品１の幅方向ｘの中央に正確にセットしやすくなる。また、吸収性コア２２は肌面側の幅方向ｘの中央部２６が被覆シート２３によって覆われていないため、着用者から排泄された尿等を速やかに吸収することができる。
【００５２】
図４および図５には、本発明の吸収性物品の他の一例を示した。図４および図５には、本発明の吸収性物品として、テープタイプの使い捨ておむつの構成例が示されており、図４は、使い捨ておむつを肌面側から見た平面図を表し、図５は、図４に示した使い捨ておむつのＶ−Ｖ断面図を表す。なお、図４および図５の説明において、上記と重複する部分の説明は省略する。
【００５３】
図４および図５に示した吸収性物品１では、吸収体２１が、上側吸収性コア２８と下側吸収性コア２７が積層されて構成されている。吸収体２１は、図２および図３に示した吸収性コア２２を下側吸収性コア２７として有し、下側吸収性コア２７が被覆シート２３によって非肌面側から肌面側にかけて覆われ、下側吸収性コア２７の肌面側に上側吸収性コア２８が配されている。そして、被覆シート２３の一方端部２４と他方端部２５は上側吸収性コア２８と下側吸収性コア２７の間に配され、上側吸収性コア２８は、幅方向ｘの中央部に前後方向ｙに延びる開口２９を有し、開口２９が被覆シート２３の一方端部２４と他方端部２５と重なって配置されている。図４および図５に示した吸収性物品１では、上側吸収性コア２８の開口２９を通じて被覆シート２３の着色された一方端部２４と他方端部２５を視認でき、これにより吸収性コア２２の幅方向ｘの中央部２６を認識することができる。そのため、吸収性物品１を肌面側から見たときに幅方向ｘの中央を認識することができ、さらに開口２９の幅方向ｘの中央も認識しやすくなり、吸収性物品１の装着の際に、開口２９の位置を着用者の排尿部等に合わせて適切にセットすることが容易になる。なお図面には示されていないが、上側吸収性コア２８の肌面側および／または非肌面側に被覆シート２３とは異なる別の被覆シートが設けられていてもよく、これにより上側吸収性コア２８の保形性を高めることができる。この場合、別の被覆シートは非着色のものとなる。
【符号の説明】
【００５４】
１：  吸収性物品
２：  トップシート
３：  バックシート
４：  サイドシート
６：  立ち上がりフラップ
１０：  止着テープ
１３：  ターゲットテープ
２１；  吸収体
２２：  吸収性コア
２３：  被覆シート
２４：  一方端部
２５：  他方端部
２６：  吸収性コアの肌面側の幅方向の中央部
２７：  下側吸収性コア
２８：  上側吸収性コア
２９：  開口
【要約】
【課題】肌面側から見たときに、幅方向の中央を容易に認識することができる吸収性物品を提供する。
【解決手段】トップシートとバックシートとこれらの間に配された吸収体２１とを有する吸収性物品であって、吸収体２１は、吸収性コア２２と、吸収性コア２２を非肌面側から肌面側にかけて覆う被覆シート２３を有し、被覆シート２３は、幅方向ｘの一方端部２４と他方端部２５が着色され、一方端部２４と他方端部２５が吸収性コア２２の肌面側で幅方向ｘに離隔しており、吸収性コア２２の肌面側の幅方向ｘの中央部２６が被覆シート２３に覆われていない。
【選択図】図３【図１】
0006909332.tif 000002
【図２】
0006909332.tif 000003
【図３】
0006909332.tif 000004
【図４】
0006909332.tif 000005
【図５】
0006909332.tif 000006